(57)【要約】【課題】  この発明の目的は、視覚障害者が歩行前に効率的に心的地図を描くことができ、且つ、その心的地図をもとに常時自分の位置や向きを容易に定位しながら、安全に歩くことができる、触知地図を提供することである。【解決手段】  上記目的を達成するため、この触知地図は、従来の触知地図の情報に加え、凹凸のある記号や点字で、感覚・知覚情報を盛り込むことによって、達成できる。また、触地地図に盛り込んだ感覚・知覚情報の多少に応じて、従来の触知地図の情報の一部を単純化する。また、触地地図に盛り込んだ感覚・知覚情報の多少に応じて、従来の触知地図の情報の一部を省略する。【選択図】図１
2012163929.tif 000002
【特許請求の範囲】
【請求項１】
視覚障害者が、空間を理解するために用いる触知地図において、
地図の内容解説の情報及び記号や略字の説明の情報とからなる解説部と、
方位の情報と縮尺の情報、道・建物の情報、設置物の情報、視覚障害者の誘導の情報及び感覚・知覚の情報とからなる地図部と、
で、構成されることを特徴とする触知地図。
【請求項２】
請求項１の触知地図の、道・建物の情報の一部や全部、設置物の情報の一部や全部、視覚障害者の誘導の情報の一部や全部、その他の特記すべき情報の一部や全部を簡略化や省略をしたことを特徴とする触知地図。
【請求項３】
請求項１及び請求項２の情報を有する電子データ。
【発明の詳細な説明】
【技術分野】
【０００１】  本発明は、視覚障害者が、空間を理解するために用いる触知地図に関する。
【背景技術】
【０００２】  触知地図とは、空間の情報を、凹凸がある線・面、記号と点字によって、触知できるようにした地図である。【０００３】  触知地図の目的は２つに大別できる。第１の目的は視覚障害者に知識として空間の情報を知らせることである。公知例として、非特許文献１がある。
第２の目的は、視覚障害者に空間の情報を知らせるだけでなく、その情報をもとに視覚障害者を誘導することである。つまり、視覚障害者の歩行の助けとなる情報を知らせることである。公知例として、非特許文献２がある。【０００４】
【非特許文献１】  三橘一文著，「触地図原稿作成システム」国土地理院時報（１１５），８７−９１，２００８
【非特許文献２】  ＪＩＳ  Ｔ  ０９２２「高齢者・障害者配慮設計指針ー触知案内図の情報内容及び形状並びにその表示方法」
【発明の開示】
【発明が解決しようとする課題】
【０００５】  第２の視覚障害者に空間の情報を知らせ、その情報をもとに視覚障害者を誘導することを目的とする、従来の触知地図は、空間の情報のうち、屋内外の施設や設備の情報、空間の形態の情報、男子トイレ女子トレイといった空間の意味情報を知らせるものである。したがって、従来の触知地図では、視覚障害者は空間の情報の子細を記憶して心的地図を描き、その心的地図を頼りに、主として白杖や足の裏、手の触覚を使って、常時、自分の位置や向きを確認しながら、歩行する。そのため、従来の触知地図では、視覚障害者は屋内外の施設や設備の情報、空間の形態の情報、男子トイレ女子トレイといった空間の意味情報を記憶しなければいけないという点と、その記憶を頼りに主として白杖や足の裏、手の触覚を使って、常時、自分の位置や向きに注意を払う必要があるという点で、視覚障害者の負担が大きいという問題ある。【０００６】  この発明の目的は、視覚障害者が歩行前に効率的に心的地図を描くことができ、且つ、その心的地図をもとに常時自分の位置や向きを容易に定位しながら、安全に歩くことができる、触知地図を提供することである。
【課題を解決するための手段】
【０００７】  上記目的を達成するため、この触知地図は、従来の触知地図の情報に加え、凹凸のある記号や点字で、感覚・知覚情報を盛り込むことによって、達成できる。【０００８】  また、触知地図に盛り込んだ感覚・知覚情報の多少に応じて、従来の触知地図の情報の一部を単純化する。【０００９】  また、触知地図に盛り込んだ感覚・知覚情報の多少に応じて、従来の触知地図の情報の一部を省略する。
【発明の効果】
【００１０】  この発明による効果は、触知地図に、感覚・知覚情報を組み込むことにより、自分の位置や向きを、容易に定位できる場所が増える。【００１１】  また、触知地図に、音やにおいといった受動的に知覚できる感覚・知覚情報を組み込むことにより、安全に歩行できる。【００１２】  また、触知地図に、感覚・知覚情報を組み込むことにより、従来の触知地図では簡略化や省略をすることができなかった情報の一部を簡略化や省略をすることができる。そのため、少ない情報で効率的に心的地図を描くことができる。【００１３】  また、触知地図に、感覚・知覚情報を組み込むことにより、従来の触知地図では簡略化や省略をすることができなかった情報の一部を簡略化や省略をすることができる。そのため、従来よりも縮尺率が大きな触知地図を作成することができる。
【発明を実施するための最良の形態】
【００１４】  図１は、この発明の触知地図の基本的な構成図である。感覚・知覚情報を盛り込んだ触知地図の基本構成は、解説部Ｍ１と地図部Ｍ２である。
さらに解説部Ｍ１は、
内容解説の情報Ｉｎｆ１と、
記号や略字の説明の情報Ｉｎｆ２と、
で、構成される。
また、地図部Ｍ２は、
方位の情報Ｉｎｆ３と、
縮尺の情報Ｉｎｆ４と、
道・建物の情報Ｉｎｆ５と、
設置物の情報Ｉｎｆ６と、
視覚障害者の誘導の情報Ｉｎｆ７と、
その他の特記すべき情報Ｉｎｆ８と、
感覚・知覚の情報Ｉｎｆ９と、
で、構成される。
【実施例】
【実施の形態１】
【００１５】  この発明の実施の形態１に係わる触知地図１の解説部Ｍ１のうち、図２は、内容解説の情報Ｉｎｆ１である。また、図３は、この発明の実施の形態１に係わる触知地図１の解説部Ｍ１の記号や略字の説明の情報Ｉｎｆ２である。また、図４はこの発明の実施の形態１に係わる触知地図１の地図部Ｍ２である。
【００１６】  実施の形態１では、解説部Ｍ１と地図部Ｍ２を複数に分けているが、分けずに１つの中にまとめて作成してもよい。また、内容解説の情報Ｉｎｆ１を１つではなく、複数に分割してもよい。また、記号や略字の説明の情報Ｉｎｆ２を１つではなく、複数に分割してもよい。また、地図部Ｍ２を１つではなく、複数に分割してもよい。
【００１７】  触知地図１の内容解説の情報Ｉｎｆ１は、触知地図１を利用する上で必要な地図の内容や見方や注意事項を点字で説明すればよい。また、触知地図の内容を簡潔に示した見出しを付けることもできる。
【００１８】  触知地図１の記号や略字の説明の情報Ｉｎｆ２は、触知地図１で用いる地図図形の記号や点字の略字を箇条書きで説明すればよい。
【００１９】  図５は触知地図１の方位の情報Ｉｎｆ３を抜き出したものである。地図の方位を記号や点字の略字で作成すればよい。また、記号や点字の略字で示さない内容は点字で説明すればよい。
【００２０】  図６は触知地図１の縮尺の情報Ｉｎｆ４を抜き出したものである。地図の縮尺を記号や点字の略字で作成すればよい。また、記号や点字の略字で示さない内容は点字で説明すればよい。
【００２１】  図７は触知地図１の道・建物の情報Ｉｎｆ５を抜き出したものである。道・段差・壁といった道・建物の情報を記号や点字の略字で作成すればよい。また、記号や点字の略字で示さない内容は点字で説明すればよい。
【００２２】  図８は触知地図１の設置物の情報Ｉｎｆ６を抜き出したものである。路上に設置された機器や設置物、及び、建物に付帯して設置された機器や設置物の情報を記号や点字の略字で作成すればよい。また、記号や点字の略字で示さない内容は点字で説明すればよい。
【００２３】  触知地図には、視覚障害者の誘導の情報Ｉｎｆ７として、誘導ブロックのような視覚障害者の誘導の情報を作成すればよい。図４に示す触知地図１には、視覚障害者の誘導の情報Ｉｎｆ７が示されていないが、地図の対象範囲内に、誘導ブロックのような視覚障害者の誘導の情報がない場合には省略できる。
【００２４】  図４に示す触知地図１には、触知地図の基本構成のうち、その他の特記すべき情報Ｉｎｆ８が示されていないが、地図の対象範囲内に、特記すべき情報がない場合には省略できる。
【００２５】  方位の情報Ｉｎｆ３及び、縮尺の情報Ｉｎｆ４及び、道・建物の情報Ｉｎｆ５及び、設置物の情報Ｉｎｆ６及び、視覚障害者の誘導の情報Ｉｎｆ７及び、その他の特記すべき情報Ｉｎｆ８の触知地図への記載方法は、独自に決めればよいが、非特許文献２を参考にすることができる。
【００２６】  図９は触知地図１の感覚・知覚の情報Ｉｎｆ９を抜き出したものである。聴覚や嗅覚、触覚、皮膚感覚（表面感覚とも言う。）、前庭感覚（平衡感覚とも言う。）として知覚できる感覚・知覚の情報を記号や点字の略字で作成すればよい。また、記号や点字の略字で示さない内容は点字ですればよい。
【００２７】  ただし、触知地図１において、方位の情報Ｉｎｆ３及び、縮尺の情報Ｉｎｆ４及び、道・建物の情報Ｉｎｆ５及び、設置物の情報Ｉｎｆ６及び、視覚障害者の誘導の情報Ｉｎｆ７及び、その他の特記すべき情報Ｉｎｆ８及び、感覚・知覚の情報Ｉｎｆ９のうち、地図図形に用いた記号と点字の略字はすべて、記号や略字の説明の情報Ｉｎｆ２にて、説明する必要がある。
【００２８】  図４から、図９に示す触知地図１の感覚・知覚情報Ｉｎｆ９を除けば、図４は従来の触知地図の地図部Ｍ２と同じである。
【００２９】  実施の形態１の発明の効果について説明する。
視覚障害者は心的地図を頼りに自分の位置や方位を見失わないように歩く必要がある。
【００３０】  従来の触知地図では、道・建物の情報Ｉｎｆ５及び、設置物の情報Ｉｎｆ６及び、視覚障害者の誘導の情報Ｉｎｆ７及び、その他の特記すべき情報Ｉｎｆ８を、自分の位置や方位を定位することに用いているが、視覚障害者の誘導の情報Ｉｎｆ７を除けば、それらの情報の多くが、空間の形態的な特徴を示す情報であり、目が見えないが故に、これらの情報を知覚するためには、白杖や足の裏、手の触覚を使って、能動的に、一つ一つ確認する必要がある。
【００３１】  類似の形態的な特徴を持つ場所や設置物が、複数ある場合や連続してある場合には、自分の位置や方位の特定が難しくなる。また、知覚のために能動的に行動すれば、目が見えないが故に、事故が起きるリスクが高くなる。
【００３２】  一方、この発明では、音やにおいといった受動的に知覚でき、他の情報と区別できる感覚・知覚情報を与えるため、視覚障害者は、自分の位置や向きを容易に定位できる場所が増える。加えて、知覚のために能動的に行動を起こす必要性が小さくなり、安全に歩行できる。
【００３３】  感覚・知覚の情報Ｉｎｆ９として、触知地図に記載する情報の候補としては、例えば、街頭や店頭のスピーカーからの音楽、店舗や作業場からの作業音、水の流れる音、商品を紹介する店員の声などの聴覚の情報、珈琲やたこ焼き、焼いたうなぎ、焼いたパンのにおい、革製品のにおい、ゴミ置き場のにおいなどの嗅覚の情報、タイル、アスファルト、ブロックなどの路面の材料の触覚の情報、冷房・暖房をしている店舗や室外機からの温風や冷風などの皮膚感覚の情報及び、道のわずかな傾斜や凹凸などの前庭感覚情報がある。
【実施の形態２】
【００３４】  図１０は、実施の形態２に係わる触知地図２の解説部Ｍ１の内容解説の情報Ｉｎｆ１である。
図１１と図１２は、この発明の実施の形態２に係わる触知地図２の解説部Ｍ１の記号や略字の説明の情報Ｉｎｆ２を、２つの図に分けたものである。また、図１３はこの発明の実施の形態２に係わる触知地図２の地図部Ｍ２である。
【００３５】  実施の形態２では、解説部Ｍ１と地図部Ｍ２を複数に分けているが、分けずに１つの中にまとめて作成してもよい。また、内容解説の情報Ｉｎｆ１を１つではなく、複数に分割してもよい。また、記号や略字の説明の情報Ｉｎｆ２を２つではなく、１つや、３つ以上に分割してもよい。また、地図部Ｍ２を１つではなく、複数に分割してもよい。
【００３６】  触知地図２の内容解説の情報Ｉｎｆ１は、触知地図２を利用する上で必要な地図の内容や見方や注意事項を点字で説明すればよい。また、触知地図の内容を簡潔に示した見出しを付けることもできる。
【００３７】  触知地図２の記号や略字の説明の情報Ｉｎｆ２は、触知地図２で用いる地図図形の記号や点字の略字を箇条書きで説明すればよい。
【００３８】  図１０の触知地図２の方位の情報Ｉｎｆ３は、図６に示す触知地図１の方位の情報Ｉｎｆ３と同じものであるが、異なるものでもよい。
【００３９】  図１４は触知地図２の縮尺の情報Ｉｎｆ４を抜き出したものである。実施の形態１の触知地図１に比べ、縮尺率が大きくなっている。
【００４０】  図１５は触知地図２の道・建物の情報Ｉｎｆ５を抜き出したものである。実施の形態１の触知地図１に比べ、道を簡略化している。また、触知地図１に比べ、建物は大部分を省略し、残りを簡略化している。
【００４１】  図１６は触知地図２の設置物の情報Ｉｎｆ６を抜き出したものである。路上に設置された機器や設置物、及び、建物に付帯して設置された機器や設置物の情報を記号や点字の略字で作成すればよい。また、記号や点字の略字で示さない内容は点字で説明すればよい。
【００４２】  図１３に示す触知地図２には、触知地図の基本構成のうち、視覚障害者の誘導の情報Ｉｎｆ７、その他の特記すべき情報Ｉｎｆ８が示されていないが、地図の対象範囲内に、誘導ブロックといった視覚障害者の誘導の情報やその他の特記すべき情報がない場合には省略できる。
【００４３】  方位の情報Ｉｎｆ３及び、縮尺の情報Ｉｎｆ４及び、道・建物の情報Ｉｎｆ５及び、設置物の情報Ｉｎｆ６及び、視覚障害者の誘導の情報Ｉｎｆ７及び、その他の特記すべき情報Ｉｎｆ８の触知地図への記載方法は、独自に決めればよいが、非特許文献２を参考にすることができる。
【００４４】  図１７は触知地図２の感覚・知覚の情報Ｉｎｆ９を抜き出したものである。聴覚や嗅覚、触覚、皮膚感覚、前庭感覚として知覚できる感覚・知覚の情報を記号や点字の略字で作成すればよい。また、記号や点字の略字で示さない内容は点字で説明すればよい。
【００４５】  ただし、触知地図２において、方位の情報Ｉｎｆ３及び、縮尺の情報Ｉｎｆ４及び、道・建物の情報Ｉｎｆ５及び、設置物の情報Ｉｎｆ６及び、視覚障害者の誘導の情報Ｉｎｆ７及び、その他の特記すべき情報Ｉｎｆ８及び、感覚・知覚の情報Ｉｎｆ９で、地図図形に用いた記号と点字の略字は、すべて、記号や略字の説明の情報Ｉｎｆ２にて、説明する必要がある。
【００４６】  実施の形態２の発明の効果について説明する。
自分の位置や向きを容易に定位できる場所が増えることと、安全に歩行できることは、実施の形態１と同じである。
【００４７】  従来の触知地図では、視覚障害者は、道・建物の情報及び、設置物の情報及び、視覚障害者の誘導の情報及び、その他の特記すべき情報を、自分の位置や方位を定位することに用いるが、視覚障害者の誘導の情報を除けば、それらの情報の多くが、空間の形態的な特徴を示す情報であり、目が見えないが故に、これらの情報を知覚するためには、白杖や足の裏、手の触覚を使って、能動的に、一つ一つ確認する必要がある。そのため、これらの情報を容易に簡略化や省略をすることができなかった。
【００４８】  しかし、実施の形態２では、感覚・知覚情報を盛り込んだことにより、容易に定位できる場所が増えるため、道・建物の情報の一部や全部、設置物の情報の一部や全部、視覚障害者の誘導の情報の一部や全部、その他の特記すべき情報の一部または全部を、感覚・知覚の情報の多少に応じて、簡略化や省略をすることができる。その結果として、視覚障害者は、少ない情報で効率的に心的地図を描くことができる。
【００４９】  また、地図の道・建物の情報の一部や全部、設置物の情報の一部や全部、視覚障害者の誘導の情報の一部や全部、その他の特記すべき情報の一部または全部を、感覚・知覚の情報の多少に応じて、簡略化や省略をすることによって、従来よりも縮尺率が大きな触知地図を作成することができる。
【実施の形態３】
【００５０】  この発明の感覚・知覚情報を盛り込んだ触知地図は、例えば、Ａ４サイズなどの定型で作成してもよい。
【実施の形態４】
【００５１】  この発明の感覚・知覚情報を盛り込んだ触知地図は、電子データとして作成してもよい。例えば、電子データとして、ｐｄｆ形式などで保存したしてもよい。
【００５２】  作成した電子データは、インターネット等を介して、送受信することができる。また、その電子データをもとに、カプセルペーパーと立体コピー機、あるいは点字プリンターなどで、容易に実物としての触知地図を作成することができる。
【産業上の利用可能性】
【００５３】  この発明の感覚・知覚情報を盛り込んだ触知地図は、例えば、鉄道駅や空港、地下街やショッピングモールなどの商業施設、テーマパークなどの遊技施設など、不特定の視覚障害者が利用する建築物や都市空間で利用できる。
【図面の簡単な説明】
【００５４】
【図１】  感覚・知覚情報を盛り込んだ触知地図の基本的な構成図である。
【図２】  この発明の実施の形態１に係わる触知地図１の解説部Ｍ１の内容解説の情報Ｉｎｆ１である。
【図３】  この発明の実施の形態１に係わる触知地図１の解説部Ｍ１の記号や略字の説明の情報Ｉｎｆ２である。
【図４】  この発明の実施の形態１に係わる触知地図１の地図部Ｍ２である。
【図５】  触知地図１の方位の情報Ｉｎｆ３を抜き出したものである。
【図６】  触知地図１の縮尺の情報Ｉｎｆ４を抜き出したものである。
【図７】  触知地図１の道・建物の情報Ｉｎｆ５を抜き出したものである。
【図８】  触知地図１の設置物の情報Ｉｎｆ６を抜き出したものである
【図９】  触知地図１の感覚・知覚の情報Ｉｎｆ９を抜き出したものである。
【図１０】  この発明の実施の形態２に係わる触知地図２の解説部Ｍ１の内容解説の情報Ｉｎｆ１である。
【図１１】  この発明の実施の形態２に係わる触知地図２の解説部Ｍ１の記号や略字の説明の情報Ｉｎｆ２を２つに分けたうちの１つめである。
【図１２】  この発明の実施の形態２に係わる触知地図２の解説部Ｍ１の記号や略字の説明の情報Ｉｎｆ２を２つに分けたうちの２つめである。
【図１３】  この発明の実施の形態２に係わる触知地図２の地図部Ｍ２である。
【図１４】  触知地図２の縮尺の情報Ｉｎｆ４を抜き出したものである。
【図１５】  触知地図２の道・建物の情報Ｉｎｆ５を抜き出したものである。
【図１６】  触知地図２の設置物の情報Ｉｎｆ６を抜き出したものである。
【図１７】  触知地図２の感覚・知覚の情報Ｉｎｆ９を抜き出したものである。
【符号の説明】
【００５５】Ｍ１      解説部
Ｍ２      地図部
Ｉｎｆ１  内容解説の情報
Ｉｎｆ２  記号や略字の説明の情報
Ｉｎｆ３  方位の情報
Ｉｎｆ４  縮尺の情報
Ｉｎｆ５  道・建物の情報
Ｉｎｆ６  設置物の情報
Ｉｎｆ７  視覚障害者の誘導の情報
Ｉｎｆ８  その他の特記すべき情報
Ｉｎｆ９  感覚・知覚の情報
【図１】
2012163929.tif 000003
【図２】
2012163929.tif 000004
【図３】
2012163929.tif 000005
【図４】
2012163929.tif 000006
【図５】
2012163929.tif 000007
【図６】
2012163929.tif 000008
【図７】
2012163929.tif 000009
【図８】
2012163929.tif 000010
【図９】
2012163929.tif 000011
【図１０】
2012163929.tif 000012
【図１１】
2012163929.tif 000013
【図１２】
2012163929.tif 000014
【図１３】
2012163929.tif 000015
【図１４】
2012163929.tif 000016
【図１５】
2012163929.tif 000017
【図１６】
2012163929.tif 000018
【図１７】
2012163929.tif 000019